(57)【要約】【課題】  磁石を用いることなく機械的な構成により指等の挟み込みを防止でき、耐久性が高く、開閉体の閉める速度に応じた停止の調整が容易で、開閉体のスライド時の上下振動に対する誤作動を防止できるスライド式開閉体の挟み込み防止装置を提供すること。【解決手段】  サッシ枠２に固定される固定側ロック部材１０と、障子３に保持される可動側ロック部材２０と、から構成される挟み込み防止装置１であって、固定側ロック部材１０は、作動用傾斜面１１と、ロック用耐荷重面１２と、を備え、可動側ロック部材２０は、作動用傾斜面１１と接触して回動する作動レバー２１と、作動レバー２１に取り付けられ作動レバー２１の回動速度に応じて遥動するフック部材２２と、ロック用耐荷重面１２と接触する接触部を備えフック部材２２と掛合して回動する停止レバー２３と、一端が作動レバー２１に取り付けられ他端がフック部材２２に取り付けられフック部材２２の遥動を調整するバネ部材２５とから構成される。【選択図】  図２
2010196392.tif 000002
【特許請求の範囲】
【請求項１】
開閉体又は前記開閉体がスライドする固定枠のうち少なくとも一方に保持される固定側ロック部材と、前記開閉体又は前記固定枠のうち少なくとも他方に保持される可動側ロック部材と、から構成されるスライド式開閉体の挟み込み防止装置であって、
前記固定側ロック部材は、作動用傾斜面と、ロック用耐荷重面と、を備え、
前記可動側ロック部材は、前記作動用傾斜面と接触して回動する作動リンク部材と、前記作動リンク部材に取り付けられ前記作動リンク部材の回動速度に応じて遥動するフック部材と、前記ロック用耐荷重面と接触する接触部を備え前記フック部材と掛合して回動する停止リンク部材と、一端が前記作動リンク部材に取り付けられ他端が前記フック部材に取り付けられ前記フック部材の遥動を調整する弾性体と、から構成されるスライド式開閉体の挟み込み防止装置。
【請求項２】
前記弾性体の前記作動リンク部材の取り付け位置及び前記フック部材の取り付け位置の少なくともいずれか一方は弾性力調整のため変更可能であることを特徴とする請求項１に記載のスライド式開閉体の挟み込み防止装置。
【請求項３】
前記フック部材は前記弾性体の一端が取り付く弾性力調整形状を備えることを特徴とする請求項２に記載のスライド式開閉体の挟み込み防止装置。
【発明の詳細な説明】
【技術分野】
【０００１】
本発明は、玄関引き戸や引き違いサッシ等のようにスライドする戸や窓（開閉体）の開閉に係り、特に閉める時に指等の挟み込みを防止するスライド式開閉体の挟み込み防止装置に関する。
【背景技術】
【０００２】
従来から住宅の開口部には、スライドする引き戸や障子等（開閉体）が用いられており、引き違いサッシで開閉体が重なり合う部分や、開閉体と開口部の枠（固定枠）側との間で指等を挟むことがあった。近年、この開閉体が景観を良くするために大型化しており、防犯や断熱を重視したペアガラスにしたりする比率が高くなってきており、それに伴い開閉体の重量が増加している。そのため、指等を挟んだ場合の危険性が高くなってきている。
【０００３】
指等の挟み込みを防ぐために、従来技術のスライド式開閉体の挟み込み防止装置では、２つの磁石をそれぞれ固定枠側と開閉体側とに取り付け、磁石の反発力を利用した技術が開示されている。この装置は、固定枠と開閉体との間で磁石が先端に取り付けられた棒状部材が固定枠側に設置されており、開閉体側に別の磁石が取り付けられており、開閉体をゆっくりと閉めれば２つの磁石が反発して棒状部材が開閉体が閉められるように退避でき、開閉体を速く閉めると磁石が反発できず棒状部材に開閉体が衝突し開閉体を止める（ロックする）仕組みである（例えば、特許文献１参照）。
【先行技術文献】
【特許文献】
【０００４】
【特許文献１】特開平８−８２１５７号公報
【発明の概要】
【発明が解決しようとする課題】
【０００５】
しかしながら、従来技術のスライド式開閉体の挟み込み防止装置は磁石を用いるが、磁石は衝突に弱く、固定軸に直接荷重が加わるため耐久性が低いという問題がある。また、磁石等の磁性体の磁束密度はバラツキが大きく、そのため上記作動のタイミングを調整すること、つまり開閉体をどの程度の速度で停止させるかを調整することが困難である。
【０００６】
本発明は、上記問題に鑑みてなされたものであり、磁石を用いることなく機械的な構成により指等の挟み込みを防止でき、耐久性が高く、開閉体の閉める速度に応じた停止の調整が容易で、さらに開閉体のスライド時の上下振動に対する誤作動を防止できるスライド式開閉体の挟み込み防止装置を提供することを目的とする。
【課題を解決するための手段】
【０００７】
本発明の第１の課題解決手段は、開閉体又は前記開閉体がスライドする固定枠のうち少なくとも一方に保持される固定側ロック部材と、前記開閉体又は前記固定枠のうち少なくとも他方に保持される可動側ロック部材と、から構成されるスライド式開閉体の挟み込み防止装置であって、前記固定側ロック部材は、作動用傾斜面と、ロック用耐荷重面と、を備え、前記可動側ロック部材は、前記作動用傾斜面と接触して回動する作動リンク部材と、前記作動リンク部材に取り付けられ前記作動リンク部材の回動速度に応じて遥動するフック部材と、前記ロック用耐荷重面と接触する接触部を備え前記フック部材と掛合して回動する停止リンク部材と、一端が前記作動リンク部材に取り付けられ他端が前記フック部材に取り付けられ前記フック部材の遥動を調整する弾性体と、から構成される。
【０００８】
また、第２の課題解決手段は、前記弾性体の前記作動リンク部材の取り付け位置及び前記フック部材の取り付け位置の少なくともいずれか一方は弾性力調整のため変更可能な構成である。
【０００９】
また、第３の課題解決手段は、前記フック部材は前記弾性体の一端が取り付く弾性力調整形状を備える構成である。
【発明の効果】
【００１０】
本発明では、固定側ロック部材と可動側ロック部材は全て機械的な部品で構成され、スライド式開閉体の挟み込み防止（ロック）を作動リンク部材の回動速度に応じて変化するフック部材の遥動により決めることができる。また、磁石を備えない構成のため、衝突による磁石の割れの問題（耐久性）、磁性体の磁束密度のバラツキによるロックタイミングの調節の困難性の問題を解決できる。また、一端が作動リンク部材に取り付けられ他端がフック部材に取り付けられフック部材の遥動を調整する弾性体を備えるため、フック部材が自重だけで遥動する場合と比べて、弾性体の弾性力を変えることで開閉体の閉める速度に応じた停止の調整が容易になり、また開閉体のスライド時にレールに侵入したゴミ等による起こる上下振動に対する誤作動を防止できる。
【００１１】
また、弾性体の作動リンク部材の取り付け位置及びフック部材の取り付け位置の少なくともいずれか一方を変更可能にすることで、弾性体を交換することなく後調整で弾性力を変えることができる。
【００１２】
また、フック部材に弾性体の一端が取り付く弾性力調整形状を備えることで、弾性体の弾性力の変更を容易に行なうことができる。
【図面の簡単な説明】
【００１３】
【図１】本発明の挟み込み防止装置を障子（開閉体）とサッシ枠（固定枠）に取り付けた外観図である。
【図２】本発明の挟み込み防止装置でフック部材に作用する慣性力が小の場合の正面図である。
【図３】本発明の挟み込み防止装置でフック部材に作用する慣性力が大の場合の正面図である。
【図４】バネ部材を備えていない挟み込み防止装置の正面図である。
【図５】フック部材の弾性力調整穴（弾性力調整形状）にバネ部材の一端を取り付けた状態を示す説明図である。
【発明を実施するための形態】
【００１４】
以下、に本発明の実施の形態について詳細に説明する。
【００１５】
図１は、本発明の実施形態である挟み込み防止装置１で、サッシ枠２（固定枠）に固定される固定側ロック部材１０と、障子３（開閉体）に固定される可動側ロック部材２０と、から構成される。障子３は固定枠２をスライドする。
【００１６】
図２、図３は、本発明の挟み込み防止装置１の正面図である。図２はフック部材２２に作用する慣性力が小（障子３の閉速度が小）の場合で、図３はフック部材に作用する慣性力が大（障子３の閉速度が大）の場合である。
【００１７】
固定側ロック部材１０は、作動用傾斜面１１と、作動用傾斜面１１と並列に設けられるロック用耐荷重面１２を備える。
【００１８】
可動側ロック部材２０は、一端が作動用傾斜面１１と接触して回動する作動レバー２１（作動リンク部材）と、作動レバー２１に回動（遥動）可能に取り付けられたフック部材２２と、ロック用耐荷重面１２と接触しする接触面２３（接触部）を備え回動する停止レバー２４（停止リンク部材）から構成される。作動レバー２１と停止レバー２４は、ケース２６の固定軸２７（回動中心）に回動可能に設けられる。ケース２６は、障子３に図示しないボルトで固定される。
【００１９】
フック部材２２の重心３０は、フック部材２２が作動レバー２１に取り付けられた位置３１に対して、作動レバー２１が回動する固定軸２７の遠心方向に位置する。またフック部材２２には掛部３３が設けられ、停止レバー２４には掛部３３と掛合する凸部３４が設けられる。
【００２０】
また、フック部材２２と作動レバー２１の間には、一端が作動レバー２１に取り付けられ他端がフック部材２２に取り付けられ、掛部３３と凸部３４が掛合するように弾性付勢してフック部材２２の遥動を調整するバネ部材２５（弾性体）を備える。
【００２１】
次に挟み込み防止装置１の動作について説明する。障子３が閉方向にスライドして作動用傾斜面１１に作動レバー２１が当接すると、作動レバー２１は固定軸２７を中心に図２の下方に回動する。このとき位置３１の重力方向には力Ｆａが作用する。またフック部材２２には自重Ｆｇと、またバネ部材２５の弾性力Ｆｋが作用する。
【００２２】
障子３の閉速度が小さい場合（図２）、位置３１の重力方向に作用する力Ｆａは小さく、力の関係は、Ｆａ−Ｆｇ＜Ｆｋとなる。このときフック部材２２に作用する上方への慣性力は小さく、フック部材２２は位置３１で遥動しないまま図２の下方（時計方向）に作動レバー２１と共に回動する。このとき掛部３３と凸部３４が掛合した状態で作動レバー２１が下方に回動するため、停止レバー２４もバネ２９の付勢力に抗して固定軸２７を中心に下方に回動する。このとき停止レバー２４の接触面２３は、ロック用耐荷重面１２より下方に移動するため、接触面２３とロック用耐荷重面１２は接触しない。したがって障子３はサッシ枠２に当接する位置（全閉）までスライド可能になる。
【００２３】
障子３の閉速度が大きい場合（図３）、位置３１の重力方向に作用する力Ｆａが大きく、力の関係は、Ｆａ−Ｆｇ＞Ｆｋとなる。このときフック部材２２に作用する上方への慣性力は大きく、フック部材２２は位置３１で図３の上方（時計周り）に遥動して、作動レバー２１と共に図３の下方に回動する。このとき掛部３３と凸部３４が掛合しない状態で作動レバー２１が下方に回動するため、停止レバー２４は回動しない。よって停止レバー２４の接触面２３と固定側ロック部材１０のロック用耐荷重面１２は接触して、障子３はサッシ枠２に当接しない位置に保持（ロック）される。
【００２４】
図４は、図２、３の可動側ロック部材２０にバネ部材２５を備えていない挟み込み防止装置１ａの正面図である。挟み込み防止装置１との違いは、フック部材２２と作動レバー２１の間にバネ部材２５を備えないことであり、その他の構成は、挟み込み防止装置１と同じである。同一の機能・構成については同一の符号・記号を用いて説明する。
【００２５】
バネ部材２５を備えない構成では、フック部材２２の自重Ｆｇを変えることでフック部材２２の遥動を調整する。フック部材２２の自重Ｆｇを変えるには、フック部材２２の交換等を伴う。また、バネ部材２５を備えないフック部材２２は弾性力により付勢されていないため、図４に示すように障子３のスライド時の上下方向の振動でフック部材２２が遥動して誤作動を起こす虞がある。
【００２６】
本発明の挟み込み防止装置１では、固定側ロック部材１０と可動側ロック部材２０は全て機械的な部品で構成され、障子３の挟み込み防止を作動レバー２１の回動速度に応じて変化するフック部材２２の遥動により決めることができる。また、磁石を備えない構成のため、衝突による磁石の割れの問題（耐久性）、磁性体の磁束密度のバラツキによるロックタイミングの調節の困難性の問題を解決できる。また、一端が作動レバー２１に取り付けられ他端がフック部材２２に取り付けられフック部材２２の遥動を調整するバネ部材２５を備えるため、フック部材２２が自重だけで遥動する場合と比べて、バネ部材２５の弾性力を変えることで障子３の閉める速度に応じた停止の調整が可能になり、また障子３のスライド時にレールに侵入したゴミ等による起こる上下振動に対する誤作動を防止できる。
【００２７】
図５は、本発明の挟み込み防止装置１の改良例で、フック部材２２に設けた弾性力調整穴２８（弾性力調整形状）にバネ部材２５の一端を取り付けた状態を示す説明図である。その他の構成は、図２、３の挟み込み防止装置１と同じで、同一の機能・構成については同一の符号・記号を用いて説明する。
【００２８】
図５の（イ）、（ロ）、（ハ）は同一のバネ部材２５で、違いはバネ長さをχ１＜χ２＜χ３と変えたことである。フック部材２２に作用するバネ部材２５の弾性力Ｆｋは、フックの法則によりＦｋ（１〜３）＝ｋ・χ（１〜３）  （ｋ：バネ定数）となる。
【００２９】
障子３の閉速度が小さい場合に挟み込み防止装置１を作動（ロック）したい場合は、バネ長さを（イ）のχ１として、Ｆａ−Ｆｇ＞Ｆｋ１とする。掛部３３と凸部３４が掛合しない状態で作動レバー２１が下方に回動するため、停止レバー２４は回動しない。よって停止レバー２４の接触面２３と固定側ロック部材１０のロック用耐荷重面１２は接触して、障子３はサッシ枠２に当接しない位置に保持（ロック）される。
【００３０】
また、障子３の閉速度が大きい場合に挟み込み防止装置１を作動（ロック）したくない場合は、バネ長さを（ハ）のχ３として弾性力Ｆｋ３を大きくしてＦａ−Ｆｇ＜Ｆｋ３とする。フック部材２２は位置３１で遥動しないので掛部３３と凸部３４が掛合した状態で作動レバー２１が下方に回動し、停止レバー２４もバネ２９の付勢力に抗して固定軸２７を中心として下方に回動する。このとき停止レバー２４の接触面２３は、ロック用耐荷重面１２より下方に移動するため、接触面２３とロック用耐荷重面１２は接触しない。したがって障子３はサッシ枠２に当接する位置（全閉）までスライド可能になる。
【００３１】
本発明の挟み込み防止装置１の改良例では、フック部材２２にバネ部材２５の一端が取り付く弾性力調整穴２８を備えることで、バネ部材２５の弾性力の変更を容易に行なうことができる。
【００３２】
本実施例では、フック部材２２にバネ部材２５の一端を取り付ける弾性力調整穴２８を設けてバネ部材２５の弾性力を調整したが、作動レバー２１の取り付け位置を変更して弾性力を調整してもよい。また、図５では弾性力調整穴２８は２つであるが、１つ又は３つ以上であってもよい。
【符号の説明】
【００３３】
１  挟み込み防止装置
２  サッシ枠（固定枠）
３  障子（開閉体）
１０  固定側ロック部材
１１  作動用傾斜面
１２  ロック用耐荷重面
２０  可動側ロック部材
２１  作動レバー（作動リンク部材）
２２  フック部材
２４  停止レバー（停止リンク部材）
２５  バネ部材（弾性体）
２８  弾性力調整穴（弾性力調整形状）
【図１】
2010196392.tif 000003
【図２】
2010196392.tif 000004
【図３】
2010196392.tif 000005
【図４】
2010196392.tif 000006
【図５】
2010196392.tif 000007